(57)【要約】【課題】駆動部と、駆動部に重なり合うように設けられた耐磁板と、アンテナとを備えるアンテナ内蔵式電子時計において、アンテナの良好な受信性能を確保する。【解決手段】電子時計１００は、外装ケース８０と、外装ケース８０に収納された環状の形状のアンテナ体４０と、アンテナ体４０の内側に配置され、時刻を表示可能な時刻表示部と、外装ケース８０に収納された地板３８と、外装ケース８０に収納され、地板３８から見てアンテナ体４０とは反対側に設けられた、時刻表示部を駆動する駆動機構３０と、平面視したときに駆動機構３０の一部または全部と重なるように、駆動機構３０及び地板３８の間に設けられた耐磁板Ｓ１及び耐磁板Ｓ２と、を備え、アンテナ体４０は、平面視したときに、耐磁板Ｓ１及び耐磁板Ｓ２と重ならない、ことを特徴とする。【選択図】図３
2014062846.tif 000002
【特許請求の範囲】
【請求項１】
外装ケースと、
前記外装ケースに収納された環状の形状のアンテナ体と、
前記アンテナ体の内側に配置され、時刻を表示可能な時刻表示部と、
前記外装ケースに収納され、前記時刻表示部を駆動する駆動部と、
平面視したときに前記駆動部の一部または全部と重なるように設けられた耐磁板と、
を備え、
前記アンテナ体の一部または全部は、
平面視したときに、前記耐磁板と重ならない、
ことを特徴とするアンテナ内蔵式電子時計。
【請求項２】
外装ケースと、
前記外装ケースに収納された環状の形状のアンテナ体と、
前記アンテナ体の内側に配置され、時刻を表示可能な時刻表示部と、
前記外装ケースに収納された地板と、
前記外装ケースに収納され、前記地板から見て前記アンテナ体とは反対側に設けられた、前記時刻表示部を駆動する駆動部と、
平面視したときに前記駆動部の一部または全部と重なるように、前記駆動部及び前記地板の間に設けられた第１耐磁板と、
を備え、
前記アンテナ体は、
平面視したときに、前記第１耐磁板と重ならない、
ことを特徴とするアンテナ内蔵式電子時計。
【請求項３】
平面視したときに前記駆動部の一部または全部と重なるように、前記駆動部から見て前記地板とは反対側に設けられた第２耐磁板を
備え、
前記アンテナ体は、
平面視したときに、前記第２耐磁板と重ならない、
ことを特徴とする、請求項２に記載のアンテナ内蔵式電子時計。
【請求項４】
前記外装ケースの有する２つの開口のうち一方の開口を塞ぎ、前記時刻表示部を保護するカバーガラスと、
前記２つの開口のうち他方の開口を塞ぐ裏蓋と、
を備え、
前記時刻表示部は、
前記カバーガラスと前記地板との間に設けられた文字板を備え、
前記裏蓋と前記文字板との距離は、
前記裏蓋と前記アンテナ体との距離よりも長い、
ことを特徴とする、請求項２または３に記載のアンテナ内蔵式電子時計。
【請求項５】
前記アンテナ体は、
当該アンテナ体の内周に設けられ、当該アンテナ体の中心方向に向かうほど前記裏蓋から遠ざかる傾斜面を有し、
前記文字板は、
平面視したときに、前記傾斜面のうち少なくとも一部と重なる、
ことを特徴とする、請求項４に記載のアンテナ内蔵式電子時計。
【請求項６】
前記アンテナ体と前記地板との間に設けられた前記アンテナ体のグランドを備え、
前記外装ケースは、
導電性材料から形成され、前記グランドに電気的に接続されたケース胴を備え、
前記裏蓋は、
導電性材料から形成され、前記ケース胴に電気的に接続されている、
ことを特徴とする、請求項４または５に記載のアンテナ内蔵式電子時計。
【請求項７】
前記アンテナ体に給電する二次電池を収納する電池収納部を備え、
前記アンテナ体は、
平面視したときに、前記電池収納部と重ならない、
ことを特徴とする、請求項１乃至６のうちいずれか１項に記載のアンテナ内蔵式電子時計。
【発明の詳細な説明】
【技術分野】
【０００１】
本発明は、アンテナを内蔵したアンテナ内蔵式電子時計に関する。
【背景技術】
【０００２】
近年、ＧＰＳ（Global Positioning System）衛星等の位置情報衛星からの電波を受信して正確な時刻表示を行うアナログ式の電子時計が開発されている。アナログ式の電子時計は、指針軸を中心に回転する指針と、歯車及びステップモーターを具備し指針を駆動する駆動部と、位置情報衛星からの電波を受信する環状のアンテナと、を備える（特許文献１参照）。また、通常、アナログ式電子時計は、ステップモーターが磁界の影響を受けて誤作動することを防止するため、ステップモーターを磁気的にシールドするための耐磁板を備える。
【先行技術文献】
【特許文献】
【０００３】
【特許文献１】特開２０１１−２１９２９号公報
【発明の概要】
【発明が解決しようとする課題】
【０００４】
磁気的なシールドである耐磁板は、位置情報衛星からの電波を含む電磁波を吸収する。従って、耐磁板がアンテナの近傍に設けられる場合、アンテナが受信すべき位置情報衛星からの電波が耐磁板によって吸収されてしまうため、アンテナが良好な電波受信性能を確保することが困難となる。
【０００５】
本発明は上述した事情に鑑みてなされたものであり、駆動部と、駆動部に重なるように設けられた耐磁板と、アンテナとを備えるアンテナ内蔵式電子時計において、アンテナの良好な受信性能を確保することを解決課題とする。
【課題を解決するための手段】
【０００６】
以上の課題を解決するため、本発明に係るアンテナ内蔵式電子時計は、外装ケースと、前記外装ケースに収納された環状の形状のアンテナ体と、前記アンテナ体の内側に配置され、時刻を表示可能な時刻表示部と、前記外装ケースに収納され、前記時刻表示部を駆動する駆動部と、平面視したときに前記駆動部の一部または全部と重なるように設けられた耐磁板と、を備え、前記アンテナ体の一部または全部は、平面視したときに、前記耐磁板と重ならない、ことを特徴とする。
アンテナ体の近傍に耐磁板が配置される場合、アンテナ体が受信すべき電波が耐磁板に遮られるため、アンテナ体の受信性能が低下する。この発明によれば、アンテナ体の一部または全部が平面視して耐磁板と重ならない位置に設けられるので、アンテナ体の全部が平面視して耐磁板と重なる位置に設けられる場合と比較して、アンテナ体及び耐磁板の間の距離を長くすることができる。このため、アンテナ体が良好な受信性能を確保することが可能となる。ここで、「アンテナ体の内側」とは、アンテナ体の環の中心軸方向であり、平面視したときにアンテナ体の環により囲まれた領域である。また、「平面視」とは、アンテナ体の環の中心軸の延在方向から当該アンテナ内蔵式電子時計を見ることである。
【０００７】
また、本発明に係るアンテナ内蔵式電子時計は、外装ケースと、前記外装ケースに収納された環状の形状のアンテナ体と、前記アンテナ体の内側に配置され、時刻を表示可能な時刻表示部と、前記外装ケースに収納された地板と、前記外装ケースに収納され、前記地板から見て前記アンテナ体とは反対側に設けられた、前記時刻表示部を駆動する駆動部と、平面視したときに前記駆動部の一部または全部と重なるように、前記駆動部及び前記地板の間に設けられた第１耐磁板と、を備え、前記アンテナ体は、平面視したときに、前記第１耐磁板と重ならない、ことを特徴とする。
アンテナ体の近傍に耐磁板が配置される場合、アンテナ体が受信すべき電波が耐磁板に遮られるため、アンテナ体の受信性能が低下する。耐磁板は、駆動部の外部から発せられる磁界から駆動部をシールドするために設けられるものであるため、一般的に、駆動部の両側、すなわち、駆動部から見て地板側と、駆動部から見て地板とは反対側と、に設けられることが多い。駆動部から見て地板側に設けられる耐磁板は、駆動部から見て地板とは反対側に設けられる耐磁板と比べて、アンテナ体の近くに位置する。よって、駆動部から見て地板側に設けられる耐磁板は、駆動部から見て地板とは反対側に設けられる耐磁板よりも、アンテナ体の受信性能に対して及ぼす影響が大きい。
この発明によれば、アンテナ体が、平面視したときに、駆動部から見て地板側に設けられる耐磁板である第１耐磁板と重ならない位置に設けられる。よって、アンテナ体の受信性能に対して大きな影響を及ぼす第１耐磁板との距離を、平面視してアンテナ体が第１耐磁板と重なる位置に設けられる場合と比較して、長くすることができる。このため、本発明に係るアンテナ内蔵式電子時計が備えるアンテナ体は、良好な受信性能を確保することが可能となる。
【０００８】
また、上述したアンテナ内蔵式電子時計は、平面視したときに前記駆動部の一部または全部と重なるように、前記駆動部から見て前記地板とは反対側に設けられた第２耐磁板を備え、前記アンテナ体は、平面視したときに、前記第２耐磁板と重ならない、ことが好ましい。
この態様によれば、アンテナ体が平面視して第２耐磁板と重ならない位置に設けられるので、アンテナ体が平面視して第２耐磁板と重なる位置に設けられる場合と比較して、アンテナ体及び第２耐磁板の間の距離を長くすることができる。このため、本態様に係るアンテナ内蔵式電子時計が備えるアンテナ体は、良好な受信性能を確保することが可能となる。
【０００９】
また、上述したアンテナ内蔵式電子時計は、前記外装ケースの有する２つの開口のうち一方の開口を塞ぎ、前記時刻表示部を保護するカバーガラスと、前記２つの開口のうち他方の開口を塞ぐ裏蓋と、を備え、前記時刻表示部は、前記カバーガラスと前記地板との間に設けられた文字板を備え、前記裏蓋と前記文字板との距離は、前記裏蓋と前記アンテナ体との距離よりも長い、ことが好ましい。
一般的にアンテナ体は、アンテナ体の断面積が大きい場合に、良好な受信性能を発揮することができる。この態様によれば、アンテナ体が文字板よりも裏蓋側に深く潜り込ませるように形成されるため、アンテナ体が文字板よりもカバーガラス側に浅く形成される場合と比較して、アンテナ体の表裏方向の長さを長くすることができる。これにより、アンテナ体の断面積を大きくすることが可能となり、アンテナ体が良好な受信性能を確保することが可能となる。
【００１０】
また、前記アンテナ体は、当該アンテナ体の内周に設けられ、当該アンテナ体の中心方向に向かうほど前記裏蓋から遠ざかる傾斜面を有し、前記文字板は、平面視したときに、前記傾斜面のうち少なくとも一部と重なる、ことが好ましい。
この態様によれば、文字板が平面視してアンテナ体の一部と重なるように設けられるため、文字板がアンテナ体と重ならないように設けられる場合と比較して、文字板のサイズを大きくすることができる。このため、アンテナ内蔵式電子時計の利用者による文字板の視認性を向上させることが可能となる。
【００１１】
また、上述したアンテナ内蔵式電子時計は、前記アンテナ体と前記地板との間に設けられた前記アンテナ体のグランドを備え、前記外装ケースは、導電性材料から形成され、前記グランドに電気的に接続されたケース胴を備え、前記裏蓋は、導電性材料から形成され、前記ケース胴に電気的に接続されている、ことが好ましい。
この態様によれば、グランド、ケース胴、及び、裏蓋が、アンテナ体のグランドプレーンとして機能する。ケース胴及び裏蓋は、アンテナ内蔵式電子時計において、大きな体積および面積を有するため、ケース胴及び裏蓋を備えずにグランドのみがアンテナ体のグランドプレーンとして機能する場合と比較して、アンテナ体のグランド電位を安定させることができる。このため、本態様に係るアンテナ内蔵式電子時計が備えるアンテナ体は、良好な受信性能を確保することが可能となる。
【００１２】
また、上述したアンテナ内蔵式電子時計は、前記アンテナ体に給電する二次電池を収納する電池収納部を備え、前記アンテナ体は、平面視したときに、前記電池収納部と重ならない、ことが好ましい。
アンテナ体の近傍に二次電池が配置される場合、アンテナ体が受信すべき電波が二次電池に遮られるため、アンテナ体の受信性能が低下する。この発明によれば、アンテナ体が平面視して二次電池と重ならない位置に設けられるので、アンテナ体が平面視して二次電池と重なる位置に設けられる場合と比較して、アンテナ体及び二次電池の間の距離を長くすることができる。このため、本発明に係るアンテナ内蔵式電子時計が備えるアンテナ体は、良好な受信性能を確保することが可能となる。
【図面の簡単な説明】
【００１３】
【図１】本発明の一実施形態に係るアンテナ内蔵式電子時計１００（電子時計１００）を含むＧＰＳシステムの全体図である。
【図２】電子時計１００の平面図である。
【図３】電子時計１００の一部断面図である。
【図４】電子時計１００の一部の分解斜視図である。
【図５】電子時計１００のアンテナ体４０の形状及びアンテナ体４０に形成されたアンテナパターンを説明するための説明図である。
【図６】電子時計１００の一部断面図である。
【図７】電子時計１００のアンテナ体４０、給電ピン４４、及び、二次電池２７の位置関係を説明するための説明図である。
【図８】電子時計１００のアンテナ体４０、給電ピン４４、耐磁板Ｓ１、耐磁板Ｓ２、及び、耐磁板Ｓ３の位置関係を説明するための説明図である。
【図９】電子時計１００のアンテナ体４０、給電ピン４４、耐磁板Ｓ１、及び、耐磁板Ｓ２の位置関係を説明するための説明図である。
【図１０】電子時計１００のアンテナ体４０、給電ピン４４、及び、耐磁板Ｓ３の位置関係を説明するための説明図である。
【図１１】電子時計１００のアンテナ体４０の受信性能と、耐磁板Ｓ１〜Ｓ３との関係を説明するための説明図である。
【図１２】電子時計１００の回路構成を示すブロック図である。
【図１３】変形例２に係る電子時計１００ａの一部断面図である。
【図１４】変形例６に係るアンテナ体４０ａを説明するための説明図である。
【図１５】変形例７に係るアンテナ体４０ｂを説明するための説明図である。
【図１６】変形例７に係るアンテナ体４０ｃの斜視図である。
【図１７】変形例７に係るアンテナ体４０ｄの斜視図である。
【図１８】変形例８に係るアンテナ体４０ｅの一部断面図である。
【図１９】変形例９に係るアンテナ体４０ｆの一部断面図である。
【図２０】変形例９に係るアンテナ体４０ｇの一部断面図である。
【図２１】変形例１０に係るアンテナ体４０ｈの平面図である。
【発明を実施するための形態】
【００１４】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１５】
＜Ａ：アンテナ内蔵式電子時計の機構的な構成＞
図１は、本発明の実施形態に係るアンテナ内蔵式電子時計１００（以下「電子時計１００」という）を含むＧＰＳシステムの全体図である。電子時計１００は、複数のＧＰＳ衛星２０の少なくとも１つからの電波（無線信号）を受信して内部時刻を修正する腕時計であり、腕に接触する面（以下、「裏面」という）の反対側の面（以下「表面」という）に時刻を表示する。
【００１６】
ＧＰＳ衛星２０は、地球上空における所定の軌道上を周回する位置情報衛星であり、１．５７５４２ＧＨｚの電波（Ｌ１波）に航法メッセージを重畳させて地上に送信している。以降の説明では、航法メッセージが重畳された１．５７５４２ＧＨｚの電波を「衛星信号」という。衛星信号は、右旋偏波の円偏波である。
なお、本実施形態において電子時計１００は、ＧＰＳシステムが備えるＧＰＳ衛星２０からの電波を受信するものであるが、ＧＰＳシステムは衛星測位システムの一例である。本発明は、ＧＰＳシステムの他に、ガリレオ（EU）、GLONASS（ロシア）、北斗（中国）等の全地球的航法衛星システム（GNSS）、SBAS等の静止衛星、または、準天頂衛星等、時刻情報を含む衛星信号を発信する位置情報衛星を備える、ＧＰＳシステム以外の衛星測位システムを使用することができる。すなわち、電子時計１００は、ＧＰＳ衛星２０以外の衛星を含む位置情報衛星からの電波（無線信号）を受信して内部時刻を修正する腕時計であってもよい。
【００１７】
現在、約３１個のＧＰＳ衛星２０（図１においては、約３１個のうち４個のみを図示）が存在している。各ＧＰＳ衛星２０は、衛星信号がどのＧＰＳ衛星２０から送信されたかを識別するために、Ｃ／Ａコード（Coarse/Acquisition Code）と呼ばれる１０２３ｃｈｉｐ（１ｍｓ周期）の固有のパターンを衛星信号に重畳する。Ｃ／Ａコードは、各ｃｈｉｐが＋１又は−１のいずれかでありランダムパターンのように見える。したがって、衛星信号と各Ｃ／Ａコードのパターンの相関をとることにより、衛星信号に重畳されているＣ／Ａコードを検出することができる。
【００１８】
ＧＰＳ衛星２０は原子時計を搭載しており、衛星信号には原子時計で計時された極めて正確な時刻情報（以下、「ＧＰＳ時刻情報」という）が含まれている。また、地上のコントロールセグメントにより各ＧＰＳ衛星２０に搭載されている原子時計のわずかな時刻誤差が測定されており、衛星信号にはその時刻誤差を補正するための時刻補正パラメータも含まれている。電子時計１００は、１つのＧＰＳ衛星２０から送信された衛星信号を受信し、その中に含まれるＧＰＳ時刻情報と時刻補正パラメータを使用して内部時刻を正確な時刻に修正する。
【００１９】
衛星信号にはＧＰＳ衛星２０の軌道上の位置を示す軌道情報も含まれている。電子時計１００は、ＧＰＳ時刻情報と軌道情報を使用して測位計算を行うことができる。測位計算は、電子時計１００の内部時刻にはある程度の誤差が含まれていることを前提として行われる。すなわち、電子時計１００の３次元の位置を特定するための３つのパラメータに加えて時刻誤差も未知数になる。そのため、電子時計１００は、一般的には４つ以上のＧＰＳ衛星からそれぞれ送信された衛星信号を受信し、その中に含まれるＧＰＳ時刻情報と軌道情報を使用して測位計算を行う。
【００２０】
図２は、電子時計１００の平面図である。図２に示すように、電子時計１００は、外装ケース８０を備えている。外装ケース８０は、金属またはその他の導電性材料で形成された円筒状のケース胴８１に、セラミックまたはその他の非導電性材料で形成されたガラス縁８２が嵌合されて構成されている。なお、本実施形態では、外装ケース８０を２部品で構成しているが、１部品で構成するようにしてもよい。
ガラス縁８２の内周側に、プラスチックまたはその他の非導電性材料で形成されたリング状のダイヤルリング８３を介して、円盤状の文字板１１が配置されている。文字板１１上には、指針軸１２を中心に周回して現在時刻を指し示す指針１３（１３ａ〜１３ｃ）が配置されている。
【００２１】
また、図２に示すように、文字板１１上には、小時計１４、及び、インジケータ１５が配置されている。
小時計１４は、軸１４１を中心に回転可能な指針１４２及び１４３を備える。指針１４２及び１４３は、電子時計１００の利用者が予め定めた地域の現在時刻を示す。すなわち、電子時計１００は、指針１３並びに指針１４２及び１４３を備えることにより、２つの地域の現在時刻を同時に表示することができる。
インジケータ１５は、軸１５１を中心に回転可能な指針１５２を備える。指針１５２は、電子時計１００が衛星信号を受信しているときには、電子時計１００が実行するモード（つまり、時刻情報取得モード、または、位置情報取得モードのうち、いずれのモードが実行されているか）を示し、衛星信号を受信していないときには、電子時計１００が備える二次電池の残容量を示す。なお、電子時計１００の利用者は、後述する操作ボタンを用いて、指針１５２が電子時計１００の実行するモードを示す状態、または、指針１５２が二次電池の残容量を示す状態の、一方の状態から他方の状態に切り替えることができる。電子時計１００が備える二次電池については後述する。
【００２２】
文字板１１の下部には、日付を表示する日付表示部１９が配置されており、文字板１１に形成された開口部１１ａを介して日付表示部１９が視認できるようになっている。
以下では、これら文字板１１、指針軸１２、指針１３、小時計１４、インジケータ１５、及び、日付表示部１９を、時刻表示部と総称する場合がある。
また、詳細は後述するが、外装ケース８０は、表面側及び裏面側の２つの開口を有している。そして、外装ケース８０の表面側の開口は、ガラス縁８２を介してカバーガラス８４で塞がれており、カバーガラス８４を介して、文字板１１、指針１３（１３ａ〜１３ｃ）、小時計１４、インジケータ１５、及び、日付表示部１９が視認可能となっている。
【００２３】
また、電子時計１００は、図２に示すように竜頭１６と、操作ボタン１７及び１８と、を備えている。これら竜頭１６、操作ボタン１７及び１８を手動操作することにより、電子時計１００を、少なくとも１つのＧＰＳ衛星２０からの衛星信号を受信して内部時刻情報の修正を行うモード（時刻情報取得モード）と、複数のＧＰＳ衛星２０からの衛星信号を受信して測位計算を行い内部時刻情報の時差を修正するモード（位置情報取得モード）と、のうちいずれかのモードに設定できる。また、電子時計１００は、時刻情報取得モードや位置情報取得モードを定期的に（自動的に）実行することもできる。
【００２４】
図３は電子時計１００の内部構造を示す一部断面図であり、図４は電子時計１００の一部の分解斜視図である。
図３に示すように、外装ケース８０は、金属またはその他の導電性材料で形成された円筒状のケース胴８１に、セラミックまたはその他の非導電性材料で形成された円筒状のガラス縁８２が嵌合されて構成されている。外装ケース８０は、表面側の開口Ｋ１及び裏面側の開口Ｋ２を有する。外装ケース８０の表面側の開口Ｋ１は、円盤状のカバーガラス８４で塞がれている。外装ケース８０の裏面側の開口Ｋ２は、ＳＵ（ステンレス）またはＴｉ（チタン）等の金属で形成された裏蓋８５で塞がれている。裏蓋８５とケース胴８１とは、例えばスクリュー溝で固定されている。
【００２５】
カバーガラス８４の下側（裏面側）には、ガラス縁８２の内周に沿って、プラスチックなどの非導電性材料で形成されたリング状のダイヤルリング８３が設けられている。また、ダイヤルリング８３の下側には、ケース胴８１の内周よりも内側に、プラスチックなどの非導電性材料で形成された地板３８が設けられている。
これら地板３８及びダイヤルリング８３と、外装ケース８０の内周とによって、ドーナツ状の収納空間が区画されている。この収納空間には、環状のアンテナ体４０が収納されている。すなわち、アンテナ体４０は、外装ケース８０の内周よりも内側に収容され、その上方をダイヤルリング８３で覆われている。また、この収納空間には、アンテナ体４０及び地板３８の間に、金属等の導電性材料により形成された環状のグランド板９０が収容されている。このグランド板９０は、導電性材料で形成された、複数個（例えば、４個）の導通ばね９０ａを介して、ケース胴８１と電気的に接続されている（図４及び図６参照）。
【００２６】
図５を参照しつつ、アンテナ体４０の詳細について説明する。図５（Ａ）はアンテナ体４０の斜視図であり、図５（Ｂ）はアンテナ体４０の平面図である。また、図５（Ｃ）は、アンテナ体４０を図５（Ｂ）に示すＧ−ｇ線で切断した一部断面図である。
アンテナ体４０は、環状の誘電体４０１を基材として、これに金属等の導電性材料から形成されたアンテナパターン４０２及びアンテナパターン４０３と、金属等の導電性材料から形成された給電部４０４とを、メッキまたは銀ペースト印刷等により形成したものである。
【００２７】
誘電体４０１は、酸化チタンなどの高周波で使用可能な誘電材料を樹脂に混ぜることで、比誘電率εｒが５〜２０程度となるように形成される。
図５（Ｃ）に示すように、誘電体４０１は、上面Ｔ１、外周面Ｔ２、底面Ｔ３、上側傾斜面ＴＰ１、及び、下側傾斜面ＴＰ２（以下、単に「傾斜面」と称する場合がある）により囲まれた、５角形の断面形状を有する。この図に示すように、誘電体４０１の上面Ｔ１には、アンテナパターン４０２が形成され、上側傾斜面ＴＰ１には、アンテナパターン４０３が形成されている。また、誘電体４０１の上側傾斜面ＴＰ１、下側傾斜面ＴＰ２、及び、底面Ｔ３には、給電部４０４が形成されている。アンテナパターン４０３は、給電部４０４を介して、給電ピン４４に電気的に接続されており、給電ピン４４を介して所定の電位が供給されている。一方、アンテナパターン４０２に対しては、アンテナ体４０の外部から電位が供給されることはない。
【００２８】
図５（Ｂ）に示すように、アンテナパターン４０２は、切欠部４０５を有し、環状の一部を切り欠いた形状に形成されている。また、アンテナパターン４０２は、位置情報衛星からの電波（衛星信号）に共振するようなアンテナ長を有している。
なお、ＧＰＳ衛星２０からの電波の周波数は約１．５７５ＧＨｚであり、１波長は約１９ｃｍとなる。円偏波を受信するためには、波長の１．０〜１．３５倍程度のアンテナ長（すなわち、アンテナパターン４０２の円周長）が必要であるため、ＧＰＳ衛星２０からの電波を受信するためには、約１９〜２６ｃｍのループアンテナが必要となる。このようなアンテナ長のループアンテナを腕時計の内部に収める場合、腕時計が大型化してしまう。
これに対して、本実施形態では、比誘電率εｒが５〜２０程度の誘電体４０１を基材としてアンテナ体４０を形成している。比誘電率εｒの誘電体４０１を用いる場合、当該誘電体４０１による波長短縮率は（εｒ）−１／２となる。つまり、比誘電率がεｒの誘電体４０１を備えることで、このような誘電体４０１を備えない場合に比べて、アンテナ体の受信する電波の波長を（εｒ）−１／２倍に短縮することができる。すなわち、本実施形態に係るアンテナ体４０は、比誘電率εｒの誘電体４０１を備えるため、このような誘電体４０１を備えない場合に比べて、アンテナ体４０のアンテナ長を（εｒ）−１／２倍にすることができ、アンテナの小型化を図ることができる。
なお、アンテナパターン４０２の具体的な寸法としては、給電部４０４と切欠部４０５とのなす角をΦａとし、切欠部４０５の長さをΔｋとし、アンテナパターン４０２の円周長をＬとし、受信する円偏波の波長（すなわち、波長短縮後の波長）をλとしたとき、例えば、Ｌ＝１．３１λ、Φａ＝４０°、Δｋ＝０．０１８λとすればよい。
【００２９】
また、図５（Ｂ）に示すように、アンテナパターン４０３は、平面視して（すなわち、文字板１１またはカバーガラス８４等に垂直な方向から電子時計１００を見たとき）、環状の一部を切り出したいわゆるＣ型の形状を有し、アンテナパターン４０２と一定の間隔（例えば、０．０１λ程度の間隔）を保つように形成されている。これら２つのアンテナパターン４０２及び４０３は、互いに電磁的に結合し、電磁波を電流に変換するアンテナ素子として機能する。
なお、アンテナパターン４０３の長さを適宜設定することによって、アンテナ体４０に電気的に接続された回路との間のインピーダンスを整合することが可能となる。
【００３０】
説明を、図３及び図４に戻す。
図３に示すように、アンテナ体４０の内周よりも内側には、光透過性の文字板１１、文字板１１及び地板３８を貫通する指針軸１２、及び、指針軸１２を中心に周回して現在時刻を指し示す複数の指針１３（秒針１３ａ、分針１３ｂ、及び、時針１３ｃ）が設けられている。より具体的には、図３に示すように、指針軸１２は、軸１２ａ、軸１２ｂ、及び、軸１２ｃを備え、秒針１３ａは軸１２ａを中心に周回し、分針１３ｂは軸１２ｂを中心に周回し、時針１３ｃは軸１２ｃを中心に周回する。
また、図３では図示を省略するが、アンテナ体４０の内周よりも内側には、文字板１１及び地板３８を貫通する軸１４１、及び、軸１４１を中心に周回する指針１４２及び指針１４３、並びに、文字板１１及び地板３８を貫通する軸１５１、及び、軸１５１を中心に周回する指針１５２が設けられている。
指針軸１２は、外装ケース８０の中心軸（または、アンテナ体４０の中心軸）に沿って表裏方向に延在している。また、軸１４１及び軸１５１は、外装ケース８０の表裏方向に延在している（図４参照）。
文字板１１は、円形の板材であり、プラスチックなどの光透過性の非導電性材料で形成されている。図３に示すように、文字板１１は、カバーガラス８４及び地板３８の間に配置されている。文字板１１には、指針軸１２が貫通する穴、軸１４１が貫通する穴（図４参照）、及び、軸１５１が貫通する穴（図４参照）が形成されているとともに、日付表示部１９を視認させるための開口部１１ａ（図２及び図４参照）が形成されている。
指針１３、指針１４２及び１４３、並びに、指針１５２は、アンテナ体４０の内周よりも内側で、且つ、カバーガラス８４及び文字板１１の間に配置されている。
【００３１】
地板３８の下側（裏面側）には、時刻表示部（指針１３、指針１４２及び１４３、日付表示部１９）を駆動するための駆動機構（駆動部）３０が取り付けられている。
駆動機構３０は、複数のステップモーターＭ１〜Ｍ５を備えるとともに、複数のステップモーターＭ１〜Ｍ５のそれぞれに対応した複数の輪列を備える。各輪列は、１または複数の歯車等により構成されている。なお、以下では、ステップモーターＭ１〜Ｍ５を、ステップモーターＭと総称する場合がある。
駆動機構３０は、指針軸１２を回転させることにより、複数の指針１３を駆動する。具体的には、駆動機構３０のステップモーターＭ１は、輪列を介して、秒針１３ａが指針軸１２の周りを６０秒で一周するように軸１２ａを回転させる。また、駆動機構３０のステップモーターＭ２は、輪列を介して、時針１３ｃが指針軸１２の周りを１２時間で１周するように軸１２ｂを回転させるとともに、分針１３ｂが指針軸１２の周りを６０分で一周するように軸１２ｃを回転させる。駆動機構３０のステップモーターＭ３は、輪列を介して軸１４１を回転させることにより、指針１４２及び１４３を駆動する。駆動機構３０のステップモーターＭ４は、輪列を介して軸１５１を回転させることにより、指針１５２を駆動する。駆動機構３０のステップモーターＭ５は、輪列を介して、日付表示部１９の表示を切り替えるように日付表示部１９を駆動する。このように、駆動機構３０は、時刻表示部を駆動する。
【００３２】
また電子時計１００は、外装ケース８０の内側に、基板２５を備える。基板２５は、樹脂や誘電体を含む素材で形成され、駆動機構３０の下側（つまり、駆動機構３０及び裏蓋８５の間）に配置されている。
基板２５の下面（裏側の面）には、ＧＰＳ受信部（無線受信部）２６及び制御部７０を含む回路ブロックが実装されている。ＧＰＳ受信部２６は、例えば、１チップのＩＣモジュールで構成され、そこにはアナログ回路とデジタル回路とが含まれている。制御部７０は、制御信号をＧＰＳ受信部２６に送り、ＧＰＳ受信部２６の受信動作を制御するとともに、駆動機構３０の動作を制御する。
【００３３】
基板２５の上側には、金属またはその他の導電性材料で形成された給電ピン４４が設けられている。給電ピン４４は、スプリングを内蔵し、地板３８及びグランド板９０に開口された挿通孔を貫通して基板２５とアンテナ体４０の給電部４０４とに接触するように設けられている。アンテナ体４０の給電部４０４は、給電ピン４４を介して基板２５（厳密には、基板２５上に設けられた配線）に電気的に接続され、基板２５上に設けられた定電位発生回路（図示省略）から所定の電位が供給されている。
なお、本実施形態では、給電ピン４４により基板２５と給電部４０４とを電気的に接続するが、給電ピン４４は、基板２５と給電部４０４とを電気的に接続する給電部材の一例に過ぎず、給電ピン４４の代わりに、導電性材料から形成された部材、例えば、リード線、板ばね等により、基板２５と給電部４０４とを電気的に接続してもよい。
【００３４】
ＧＰＳ受信部２６及び制御部７０を含む回路ブロックは、導電性材料により形成されたシールド９１により覆われている。シールド９１は、回路押え３９、裏蓋８５、及び、ケース胴８１、を介して、グランド板９０と電気的に接続されている。また、シールド９１には、回路ブロックのグランド電位が供給されている。すなわち、シールド９１、裏蓋８５、ケース胴８１、及び、グランド板９０は、その電位が、回路ブロックのグランド電位に保たれており、グランドプレーンとして機能している。
【００３５】
駆動機構３０と地板３８との間には、耐磁板Ｓ１及び耐磁板Ｓ２が設けられ、駆動機構３０と基板２５との間には、耐磁板Ｓ３が設けられている。以下では、耐磁板Ｓ１及び耐磁板Ｓ２を第１耐磁板と総称し、耐磁板Ｓ３を第２耐磁板と称する場合がある。これら耐磁板Ｓ１〜Ｓ３は、純鉄等の高い透磁率を有する導電性材料から形成される。
【００３６】
電子時計１００の外部に、スピーカー等の強い磁界を発生させる物体が存在する場合、当該磁界の影響により、ステップモーターＭが誤作動する可能性がある。また、電子時計１００を構成する各種構成要素のうち、ケース胴８１、裏蓋８５等の金属は、磁化された場合に磁界を発生させる。さらには、基板２５に設けられた回路ブロックも、磁界を発生させることがある。
本実施形態では、高い透磁率を有する材料から形成される耐磁板Ｓ１〜Ｓ３により、ステップモーターＭを覆うことにより、駆動機構３０を磁気的にシールドし、上述した各種磁界に起因してステップモーターＭが誤作動することを防止している。
【００３７】
また電子時計１００は、外装ケース８０の内側に、リチウムイオン電池などの円柱形状の二次電池２７、当該二次電池２７を収納するための電池収納部２８、及び、光発電を行うソーラーパネル８７を備える。
ソーラーパネル８７は、光エネルギーを電気エネルギー（電力）に変換する複数のソーラーセル（光発電素子）を直列接続した円形の平板である。ソーラーパネル８７は、アンテナ体４０の内周よりも内側で、地板３８と文字板１１との間に配置されている。ソーラーパネル８７の中央部には、指針軸１２が貫通する穴、軸１４１が貫通する穴（図４参照）、及び、軸１５１が貫通する穴（図４参照）が形成されているとともに、日付表示部１９を視認させるための開口部８７ａ（図２及び図４参照）が形成されている。
二次電池２７は、ソーラーパネル８７が発電した電力で充電される。この二次電池２７を収納するための電池収納部２８は、基板２５の下側（つまり、基板２５及び裏蓋８５の間）に配置されている。
【００３８】
外装ケース８０の外側には、竜頭１６と、操作ボタン１７及び操作ボタン１８とが設けられる（図２参照）。電子時計１００の利用者が、竜頭１６を操作することで生じる竜頭１６の動きは、外装ケース８０を貫通する巻真１６ａを介して、駆動機構３０に伝達される。また、電子時計１００の利用者が、操作ボタン１７（または操作ボタン１８）を押下することで生じる操作ボタン１７（または操作ボタン１８）の動きは、外装ケース８０を貫通するボタン軸１７ａ（またはボタン軸１８ａ）を介して（図７参照）、図示省略されたスイッチに伝達される。そして、当該スイッチは、操作ボタン１７（または操作ボタン１８）からの圧力を電気的な信号に変換して、制御部７０に伝達する。
以下では、これら、竜頭１６、巻真１６ａ、操作ボタン１７及び１８、並びに、ボタン軸１７ａ及び１８ａを、操作部と総称する場合がある。
【００３９】
図６を参照しつつ、アンテナ体４０、文字板１１、及び、ソーラーパネル８７の位置関係について詳説する。図６は、電子時計１００の一部断面図である。
本実施形態では、図６に示すように、文字板１１及びソーラーパネル８７は、アンテナ体４０の底面Ｔ３よりも表面側に設けられる。すなわち、アンテナ体４０及び裏蓋８５との距離をΔｙ１とし、ソーラーパネル８７及び裏蓋８５との距離をΔｙ２とし、文字板１１及び裏蓋８５との距離をΔｙ３としたとき、Δｙ１＜Δｙ２＜Δｙ３という関係が成立する位置にアンテナ体４０が配置される。
【００４０】
本実施形態のように、アンテナ体４０の底面Ｔ３が文字板１１及びソーラーパネル８７よりも裏面側に位置するようにアンテナ体４０が配置される場合には、アンテナ体４０が文字板１１及びソーラーパネル８７よりも表面側に位置するように配置される場合に比べ、アンテナ体４０の表裏方向の長さΔＹを長くすることが可能になる。
アンテナ体４０の受信性能は、アンテナ体４０の断面積が大きい程、良好になる。従って、本実施形態に係るアンテナ体４０は、アンテナ体４０の表裏方向の長さΔＹを長くして、アンテナ体４０の断面積を大きくすることができるため、アンテナ体４０が文字板１１及びソーラーパネル８７よりも表面側に位置するように配置される場合に比べ、良好な受信性能を確保することができる。
【００４１】
なお、本実施形態では、文字板１１及びソーラーパネル８７の双方がアンテナ体４０の底面Ｔ３よりも表面側に設けられるが、本発明はこのような態様に限定されるものではなく、文字板１１のみがアンテナ体４０の底面Ｔ３よりも表面側に設けられるものであってもよい。具体的には、Δｙ２＜Δｙ１＜Δｙ３という関係が成立するように、アンテナ体４０が配置されるものであってもよい。この場合であっても、アンテナ体４０の表裏方向の長さΔＹを、アンテナ体４０が良好な受信性能を得るために必要なアンテナ体４０の断面積を確保することができるような長さに設定し、アンテナ体４０の受信性能を良好に保つことができる。
【００４２】
上述のとおり、本実施形態に係るアンテナ体４０（誘電体４０１）は、下側傾斜面ＴＰ２を備える。図６に示すように、下側傾斜面ＴＰ２は、アンテナ体４０の内周に設けられ、アンテナ体４０の中心方向に向かうほど（つまり、指針軸１２に近づくほど）、裏蓋８５から遠ざかる傾斜面である。そして、文字板１１は、その一部が、平面視したときに、下側傾斜面ＴＰ２の一部と重なるように設けられている。より具体的には、平面視したときに下側傾斜面ＴＰ２が存在する領域を領域Ａ１とし、平面視したときに文字板１１が設けられる領域を領域Ａ２としたとき、文字板１１は、領域Ａ１の一部と領域Ａ２の一部とが重なるように設けられている。そのため、本実施形態では、領域Ａ１が領域Ａ２と重ならないように文字板１１が設けられる場合に比べ、平面視したときの文字板１１の面積を大きくすることができ、電子時計１００のデザインの自由度を向上させ、且つ、時刻表示部に表示される時刻等の視認性を向上させることが可能となる。
【００４３】
また、本実施形態に係るアンテナ体４０（誘電体４０１）は、図６に示すように、上側傾斜面ＴＰ１が設けられる。そのため、アンテナ体４０の表面側に配置されるダイヤルリング８３にも、上側傾斜面ＴＰ３を設けることができる。
仮に、上側傾斜面ＴＰ３が設けられていない場合、利用者は、例えば図６において右斜め上方向から文字板１１を見た場合に、文字板１１の端部がダイヤルリング８３に遮られ視認することができない。これに対して、本実施形態に係るダイヤルリング８３は、上側傾斜面ＴＰ３を有するため、利用者が、文字板１１及びダイヤルリング８３に設けられた文字や目盛等を、より広い角度方向から隅々まで視認することが可能となる。
【００４４】
図７は、平面視したとき（すなわち、文字板１１に垂直な方向から電子時計１００を見たとき）の、外装ケース８０、アンテナ体４０、給電ピン４４、二次電池２７及び電池収納部２８、並びに、操作部（竜頭１６、巻真１６ａ、操作ボタン１７及び１８、ボタン軸１７ａ及び１８ａ）の位置関係を説明するための説明図である。
【００４５】
図７に示すように、電池収納部２８は、平面視したときに、二次電池２７（すなわち、電池収納部２８に収納された二次電池２７）とアンテナ体４０とが重ならないような位置に配置される。
また、給電ピン４４は、平面視したときに、電池収納部２８に収納された二次電池２７と重ならない位置に配置される。
【００４６】
二次電池２７は、ＧＰＳ衛星２０からの電波（衛星信号）を含む電磁波を吸収または反射する。よって、二次電池２７がアンテナ体４０の近傍に位置する場合、仮に二次電池２７が存在しなければアンテナ体４０が受信できたであろう電波を二次電池２７が吸収または反射してしまうため、アンテナ体４０が良好な受信性能を維持できなくなる。
特に、アンテナ体４０の利得は、アンテナ体４０の中心から見て給電部４０４が設けられている方向が最大となる（すなわち、アンテナ体４０の中心から見て給電部４０４が設けられている方向がアンテナ体４０の最大放射方向に該当する）。そのため、給電部４０４に接続する給電ピン４４が、二次電池２７の近傍に位置する場合、アンテナ体４０の受信性能が大きく劣化することになる。
このような、二次電池２７がアンテナ体４０の受信性能に対して及ぼす影響の大きさは、二次電池２７とアンテナ体４０との距離が短い場合、または、二次電池２７と給電ピン４４との距離が短い場合に、大きくなる。
【００４７】
これに対して、本実施形態では、アンテナ体４０が平面視して二次電池２７と重ならないような位置に配置されるとともに、給電ピン４４が平面視して二次電池２７と重ならないような位置に配置される。
すなわち、本実施形態は、アンテナ体４０及び二次電池２７が平面視して重なる場合に比べ、アンテナ体４０及び二次電池２７の間の距離を長くすることができる。また、本実施形態は、給電ピン４４及び二次電池２７が平面視して重なる場合に比べ、給電ピン４４及び二次電池２７の間の距離を長くすることができる。
従って、本実施形態では、二次電池２７がアンテナ体４０の受信性能に対して及ぼす影響を小さく抑えることができ、アンテナ体４０の受信性能を良好に保つことが可能となる。
【００４８】
ここで、図７に示す平面上において、給電ピン４４及び指針軸１２を結ぶ線分を線分Ｌｐｘと称し、電池収納部２８に収納された二次電池２７の中心Ｂと指針軸１２とを結ぶ線分を線分Ｌｂｘと称する。このとき、給電ピン４４は、平面視してアンテナ体４０と重なる位置であって、且つ、線分Ｌｂｘと線分Ｌｐｘとのなす角度θが９０度以上で且つ１８０度以下となるような位置に配置される。
【００４９】
角度θが９０度以上で且つ１８０度以下のとなる位置に給電ピン４４を配置する場合、角度θが所定角度よりも小さくなるような位置に給電ピン４４を配置する場合に比べて、給電ピン４４と、二次電池２７との間の距離を長くすることができる。そのため、二次電池２７がアンテナ体４０の受信性能に対して及ぼす影響を小さく抑え、アンテナ体４０の受信性能の低下を抑止することができる。
【００５０】
なお、構造上の理由から、電池収納部２８は、平面視して操作部（より具体的には、操作部のうち巻真１６ａ）と重なる位置に配置することができない。また、給電ピン４４も、平面視して操作部（より具体的には、操作部のうち巻真１６ａ、ボタン軸１７ａ及びボタン軸１８ａ）と重なる位置に配置することができない。よって、電池収納部２８及び給電ピン４４は、平面視して操作部と重ならないように配置される。また、構造上の理由から、電池収納部２８は、ＧＰＳ受信部２６及び制御部７０を含む回路ブロック（図７では図示省略）と平面視して重ならないように配置される。
【００５１】
本実施形態では、図７に示すように、竜頭１６及び巻真１６ａが、指針軸１２を中心として３時の方向に設けられている。また、本実施形態では、操作ボタン１７及びボタン軸１７ａは、指針軸１２を中心として２時の方向に設けられ、操作ボタン１８及びボタン軸１８ａは、指針軸１２を中心として４時の方向に設けられている。すなわち、本実施形態に係る操作部は、平面視して１時から５時の範囲に含まれるように設けられている。
【００５２】
本実施形態において、電池収納部２８及び給電ピン４４は、６時から１２時の範囲に配置される。厳密には、給電ピン４４は、平面視して、指針軸１２を通り１２時の方向に延在する直線Ｌ１２と交差する位置、または、直線Ｌ１２よりも９時側の位置に配置される。また、電池収納部２８は、平面視して、二次電池２７の中心Ｂが、直線Ｌ１２と交差する位置、または、直線Ｌ１２よりも９時側の位置となるように配置される。
これにより、電池収納部２８及び給電ピン４４を、平面視して操作部と重ならない位置に配置することができる。
【００５３】
また、上述のとおり、本実施形態では、給電ピン４４は、線分Ｌｂｘと線分Ｌｐｘとのなす角度θが９０度以上で且つ１８０度以下となるような位置に配置される。従って、例えば、二次電池２７の中心Ｂが１２時の方向に位置するように電池収納部２８が設けられる場合、給電ピン４４は、６時から９時の範囲（６時の方向及び９時の方向を含む）に設けられる。逆に、二次電池２７の中心Ｂが６時の方向に位置するように電池収納部２８が設けられる場合、給電ピン４４は、９時から１２時の範囲（９時の方向及び１２時の方向を含む）に設けられる。
【００５４】
なお、本実施形態では、図７に示すように、電池収納部２８は、二次電池２７の中心Ｂが１２時の方向に位置するように設けられ、給電ピン４４は、９時の方向に設けられている。
電子時計１００は、屋外において衛星信号を受信可能である。また、電子時計１００は、屋外では、利用者の腕に装着されている場合が多く、電子時計１００の利用者は、屋外において腕を下方向（つまり、天頂方向とは逆向き）に向けた姿勢を取っている場合が多い。よって、屋外では、電子時計１００の中心（指針軸１２）から見て９時の方向が、天頂方向となる可能性が高い。
本実施形態では、給電ピン４４を９時の方向に設ける。上述のとおり、アンテナ体４０の利得は、アンテナ体４０の中心から見て、給電部４０４が設けられている方向、つまり、給電ピン４４と接続する方向において、最大となる。よって、本実施形態では、電子時計１００が衛星信号を受信する屋外において、アンテナ体４０の最大放射方向を、天頂方向に向ける可能性を高めることができ、アンテナ体４０の受信性能を良好に保つことが可能となる。
【００５５】
次に、図８乃至図１０を参照しつつ、アンテナ体４０及び給電ピン４４と、耐磁板Ｓ１〜Ｓ３との位置関係について説明する。
図８は、平面視したときの、アンテナ体４０、耐磁板Ｓ１〜Ｓ３、及び、ステップモーターＭ１〜Ｍ５の位置関係を表す説明図である。図９は、アンテナ体４０、耐磁板Ｓ１及び耐磁板Ｓ２、並びに、ステップモーターＭ１〜Ｍ５の位置関係を表すために、図８から耐磁板Ｓ３を除いた説明図であり、図１０は、アンテナ体４０、耐磁板Ｓ３、及び、ステップモーターＭ１〜Ｍ５の位置関係を表すために、図８から耐磁板Ｓ１及びＳ２を除いた説明図である。
【００５６】
図８及び図９に示すように、耐磁板Ｓ１及び耐磁板Ｓ２は、平面視して、各ステップモーターＭの少なくとも一部と重なるように設けられる。すなわち、耐磁板Ｓ１及び耐磁板Ｓ２は、平面視して、駆動機構３０の少なくとも一部と重なるように設けられている。
また、図８及び図１０に示すように、耐磁板Ｓ３は、平面視して、各ステップモーターＭの少なくとも一部と重なるように設けられる。すなわち、耐磁板Ｓ３は、平面視して、駆動機構３０の少なくとも一部と重なるように設けられている。
これにより、各ステップモーターＭは、駆動機構３０の外部から発せられる磁界から磁気的にシールドされ、当該磁界に起因するステップモーターＭの誤作動を防止することが可能となる。
【００５７】
耐磁板Ｓ１〜Ｓ３は、ＧＰＳ衛星２０からの電波（衛星信号）を含む電磁波を吸収する。そのため、電子時計１００が耐磁板Ｓ１〜Ｓ３を備える場合、耐磁板Ｓ１〜Ｓ３を備えない場合に比べて、ＧＰＳ衛星２０からの電波のうちアンテナ体４０が受信する電波の強度が低下し、アンテナ体４０の受信性能が低下することがある。
【００５８】
次に、図１１を参照しつつ、耐磁板を設けることが、アンテナ体４０の受信性能に対して及ぼす影響について説明する。
図１１（Ａ）及び（Ｂ）において、実線で表された曲線Ｃａは、耐磁板Ｓ１〜Ｓ３を具備する電子時計１００に設けられたアンテナ体４０の指向特性を表している。また、図１１（Ａ）において、破線で表された曲線Ｃｂは、電子時計１００から耐磁板Ｓ１を外し、耐磁板Ｓ２及び耐磁板Ｓ３のみを具備する電子時計に備えられたアンテナ体４０の指向特性を表している。また、図１１（Ｂ）において、破線で表された曲線Ｃｃは、電子時計１００から耐磁板Ｓ１〜Ｓ３を全て外し、耐磁板Ｓ１〜Ｓ３を具備しない電子時計に備えられたアンテナ体４０の指向特性を表している。なお、これらの図では、曲線Ｃｃで表されるアンテナ体４０の利得の最大値（天頂方向の利得）が０．０ｄＢとなるように、アンテナ体４０の利得を示す値を正規化している。
【００５９】
曲線Ｃａに示されるように、電子時計１００が耐磁板Ｓ１〜Ｓ３を備える場合の、アンテナ体４０の利得の最大値（天頂方向の利得）は−０．６ｄＢｉｃであり、利得の平均値（全方向の平均の利得）は−３．５ｄＢｉｃである。また、曲線Ｃｂに示されるように、電子時計１００から耐磁板Ｓ１を外した場合の、アンテナ体４０の利得の最大値は−０．１ｄＢｉｃであり、平均値は−３．０ｄＢｉｃである。また、曲線Ｃｃに示されるように、電子時計１００から耐磁板Ｓ１〜Ｓ３を外した場合の、アンテナ体４０の利得の最大値は−０．０ｄＢｉｃであり、平均値は−３．１ｄＢｉｃである。
すなわち、電子時計１００から耐磁板Ｓ１を外すことで、アンテナ体４０の利得は、天頂方向において０．５ｄＢｉｃ向上し、全方向の平均では０．５ｄＢｉｃ向上する。一方、電子時計１００から全ての耐磁板Ｓ１〜Ｓ３を外しても、アンテナ体４０の利得は、天頂方向では０．６ｄＢｉｃ向上し、全方向の平均では０．４ｄＢｉｃ向上するに留まり、電子時計１００から耐磁板Ｓ１を外した場合とほぼ同一の受信性能となる。
【００６０】
このように、アンテナ体４０の受信性能に対して影響の大きさは、耐磁板Ｓ２及び耐磁板Ｓ３に比べて、耐磁板Ｓ１が最も大きい。これは、図３からも明らかなように、耐磁板Ｓ１が、耐磁板Ｓ２及び耐磁板Ｓ３に比べてアンテナ体４０の近傍に配置されるためである。
すなわち、アンテナ体４０は、近傍に耐磁板が配置される場合には、その受信性能が劣化するが、ある程度の距離を離して耐磁板を配置する限りは、その受信性能を良好に保つことができる。
【００６１】
本実施形態では、図８乃至図１０に示すように、アンテナ体４０を、平面視して耐磁板Ｓ１〜Ｓ３と重ならない位置に配置する。この場合、アンテナ体４０が、平面視して耐磁板Ｓ１〜Ｓ３と重なる位置に設けられる場合に比べて、アンテナ体４０及び耐磁板Ｓ１〜Ｓ３の間の距離を長くすることができる。
そのため、本実施形態では、耐磁板Ｓ１〜Ｓ３（特に、耐磁板Ｓ１）がアンテナ体４０の受信性能に対して及ぼす影響を小さく抑え、アンテナ体４０の受信性能を良好に保つことが可能となる。
【００６２】
なお、上述のとおり、アンテナ体４０の利得は、アンテナ体４０の中心から見て給電部４０４が設けられている方向が最大となる。そのため、給電部４０４に接続する給電ピン４４が、耐磁板Ｓ１〜Ｓ３の近傍に位置する場合、アンテナ体４０の受信性能が大きく劣化することになる。
これに対して、本実施形態では、給電ピン４４を、指針軸１２から見て９時の方向に配置する。図８に示すように、耐磁板Ｓ１〜Ｓ３は全体として、平面視したときに、電子時計１００の中央よりも指針軸１２から見て３時の方向に偏った位置に配置されている。よって、給電ピン４４を９時の方向に配置することで、給電ピン４４を９時以外の方向（例えば、３時の方向）に配置する場合に比べて、給電ピン４４及び耐磁板Ｓ１〜Ｓ３の間の距離を長くすることができる。これにより、アンテナ体４０の受信性能に対して耐磁板Ｓ１〜Ｓ３が及ぼす影響を小さく抑え、アンテナ体４０の受信性能を良好に保つことが可能となる。
【００６３】
＜Ｂ：アンテナ内蔵式電子時計の回路構成＞
図１２は、電子時計１００の回路構成を示すブロック図である。図１２に示すように、電子時計１００は、ＧＰＳ受信部２６及び制御表示部３６を含む。ＧＰＳ受信部２６は、衛星信号の受信、ＧＰＳ衛星２０の捕捉、位置情報の生成、時刻修正情報の生成等の処理を行う。制御表示部３６は、内部時刻情報の保持及び内部時刻情報の修正等の処理を行う。
【００６４】
ソーラーパネル８７は、充電制御回路２９を通じて二次電池２７を充電する。電子時計１００はレギュレータ３４及び３５を備え、二次電池２７は、レギュレータ３４を介して制御表示部３６に、レギュレータ３５を介してＧＰＳ受信部２６に駆動電力を供給する。また電子時計１００は、二次電池２７の電圧を検出する電圧検出回路３７を備える。なお、レギュレータ３５に代えて、例えば、ＲＦ部５０（詳細は後述）に駆動電力を供給するレギュレータと、ベースバンド部６０（詳細は後述）に駆動電力を供給するレギュレータ（ともに図示せず）とに分けて設けてもよい。
【００６５】
また電子時計１００は、アンテナ体４０、及び、ＳＡＷ（Surface Acoustic Wave：表面弾性波）フィルタ３２を含む。アンテナ体４０は、図１で説明したように、複数のＧＰＳ衛星２０からの衛星信号を受信する。ただし、アンテナ体４０は衛星信号以外の不要な電波も若干受信してしまうため、ＳＡＷフィルタ３２は、アンテナ体４０が受信した信号から衛星信号を抽出する処理を行う。すなわち、ＳＡＷフィルタ３２は、１．５ＧＨｚ帯の信号を通過させるバンドパスフィルタとして構成される。
【００６６】
また、ＧＰＳ受信部２６は、ＲＦ（Radio Frequency：無線周波数）部５０とベースバンド部６０を含んで構成されている。以下に説明するように、ＧＰＳ受信部２６は、ＳＡＷフィルタ３２が抽出した１．５ＧＨｚ帯の衛星信号から航法メッセージに含まれる軌道情報やＧＰＳ時刻情報等の衛星情報を取得する処理を行う。
【００６７】
ＲＦ部５０は、ＬＮＡ（Low Noise Amplifier）５１、ミキサ５２、ＶＣＯ（Voltage Controlled Oscillator）５３、ＰＬＬ（Phase Locked Loop）回路５４、ＩＦアンプ５５、ＩＦ（Intermediate Frequency：中間周波数）フィルタ５６、ＡＤＣ（Ａ／Ｄ変換器）５７等を含む。
【００６８】
ＳＡＷフィルタ３２が抽出した衛星信号は、ＬＮＡ５１で増幅される。ＬＮＡ５１で増幅された衛星信号は、ミキサ５２でＶＣＯ５３が出力するクロック信号とミキシングされて中間周波数帯の信号にダウンコンバートされる。ＰＬＬ回路５４は、ＶＣＯ５３の出力クロック信号を分周したクロック信号と基準クロック信号を位相比較してＶＣＯ５３の出力クロック信号を基準クロック信号に同期させる。その結果、ＶＣＯ５３は基準クロック信号の周波数精度の安定したクロック信号を出力することができる。なお、中間周波数として、例えば、数ＭＨｚを選択することができる。
【００６９】
ミキサ５２でミキシングされた信号は、ＩＦアンプ５５で増幅される。ここで、ミキサ５２でのミキシングにより、中間周波数帯の信号とともに数ＧＨｚの高周波信号も生成される。そのため、ＩＦアンプ５５は、中間周波数帯の信号とともに数ＧＨｚの高周波信号も増幅する。ＩＦフィルタ５６は、中間周波数帯の信号を通過させるとともに、この数ＧＨｚの高周波信号を除去する（正確には、所定のレベル以下に減衰させる）。ＩＦフィルタ５６を通過した中間周波数帯の信号はＡＤＣ（Ａ／Ｄ変換器）５７でデジタル信号に変換される。
【００７０】
ベースバンド部６０は、ＤＳＰ（Digital Signal Processor）６１、ＣＰＵ（Central Processing Unit）６２、ＳＲＡＭ（Static Random Access Memory）６３、ＲＴＣ（リアルタイムクロック）６４を含んで構成されている。また、ベースバンド部６０には、温度補償回路付き水晶発振回路（ＴＣＸＯ：Temperature Compensated Crystal Oscillator）６５やフラッシュメモリ６６等が接続されている。
【００７１】
温度補償回路付き水晶発振回路（ＴＣＸＯ）６５は、温度に関係なくほぼ一定の周波数の基準クロック信号を生成する。フラッシュメモリ６６には、例えば時差情報が記憶されている。時差情報は、時差データ（座標値（例えば、緯度及び経度）に関連づけられたＵＴＣに対する補正量等）が定義された情報である。
【００７２】
ベースバンド部６０は、時刻情報取得モード又は位置情報取得モードに設定されると、ＲＦ部５０のＡＤＣ５７が変換したデジタル信号（中間周波数帯の信号）からベースバンド信号を復調する処理を行う。
【００７３】
また、ベースバンド部６０は、時刻情報取得モード又は位置情報取得モードに設定されると、後述する衛星検索工程において、各Ｃ／Ａコードと同一のパターンのローカルコードを発生し、ベースバンド信号に含まれる各Ｃ／Ａコードとローカルコードの相関をとる処理を行う。そして、ベースバンド部６０は、各ローカルコードに対する相関値がピークになるようにローカルコードの発生タイミングを調整し、相関値が閾値以上となる場合にはそのローカルコードのＧＰＳ衛星２０に同期（すなわち、ＧＰＳ衛星２０を捕捉）したものと判断する。ここで、ＧＰＳシステムでは、すべてのＧＰＳ衛星２０が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星２０を検索することができる。
【００７４】
また、ベースバンド部６０は、時刻情報取得モード又は位置情報取得モードにおいて、捕捉したＧＰＳ衛星２０の衛星情報を取得するために、当該ＧＰＳ衛星２０のＣ／Ａコードと同一のパターンのローカルコードとベースバンド信号をミキシングする処理を行う。ミキシングされた信号には、捕捉したＧＰＳ衛星２０の衛星情報を含む航法メッセージが復調される。そして、ベースバンド部６０は、航法メッセージの各サブフレームのＴＬＭワード（プリアンブルデータ）を検出し、各サブフレームに含まれる軌道情報やＧＰＳ時刻情報等の衛星情報を取得する（例えばＳＲＡＭ６３に記憶する）処理を行う。ここで、ＧＰＳ時刻情報は、週番号データ（ＷＮ）及びＺカウントデータであるが、以前に週番号データが取得されている場合にはＺカウントデータのみであってもよい。そして、ベースバンド部６０は、衛星情報に基づいて、内部時刻情報を修正するために必要な時刻修正情報を生成する。
【００７５】
時刻情報取得モードの場合、より具体的には、ベースバンド部６０は、ＧＰＳ時刻情報に基づいて測時計算を行い、時刻修正情報を生成する。時刻情報取得モードにおける時刻修正情報は、例えば、ＧＰＳ時刻情報そのものであってもよいし、ＧＰＳ時刻情報と内部時刻情報との時間差の情報であってもよい。
【００７６】
一方、位置情報取得モードの場合、より具体的には、ベースバンド部６０は、ＧＰＳ時刻情報や軌道情報に基づいて測位計算を行い、位置情報（より具体的には、受信時に電子時計１００が位置する場所の緯度及び経度）を取得する。さらに、ベースバンド部６０は、フラッシュメモリ６６に記憶されている時差情報を参照し、位置情報により特定される電子時計１００の座標値（例えば、緯度及び経度）に関連づけられた時差データを取得する。このようにして、ベースバンド部６０は、時刻修正情報として衛星時刻データ（ＧＰＳ時刻情報）及び時差データを生成する。位置情報取得モードにおける時刻修正情報は、上記の通り、ＧＰＳ時刻情報と時差データそのものであってもよいが、例えば、ＧＰＳ時刻情報の代わりに内部時刻情報とＧＰＳ時刻情報の時間差のデータであってもよい。
なお、ベースバンド部６０は、１つのＧＰＳ衛星２０の衛星情報から時刻修正情報を生成してもよいし、複数のＧＰＳ衛星２０の衛星情報から時刻修正情報を生成してもよい。
【００７７】
また、ベースバンド部６０の動作は、温度補償回路付き水晶発振回路（ＴＣＸＯ）６５が出力する基準クロック信号に同期する。ＲＴＣ６４は、衛星信号を処理するためのタイミングを生成するものである。このＲＴＣ６４は、ＴＣＸＯ６５から出力される基準クロック信号でカウントアップされる。
【００７８】
制御表示部３６は、制御部７０、駆動回路７４及び水晶振動子７３を含んで構成されている。
制御部７０は、記憶部７１、ＲＴＣ（Real Time Clock）７２を備え、各種制御を行う。制御部７０は、例えばＣＰＵで構成することが可能である。制御部７０は、制御信号をＧＰＳ受信部２６に送り、ＧＰＳ受信部２６の受信動作を制御する。また制御部７０は、電圧検出回路３７の検出結果に基づいて、レギュレータ３４及びレギュレータ３５の動作を制御する。また制御部７０は、駆動回路７４を介してすべての指針１３の駆動を制御するとともに、駆動回路７４を介して指針１４２及び１４３並びに日付表示部１９の駆動を制御する。
【００７９】
記憶部７１には受信データが記憶されている。制御部７０はその受信データに基づいて内部時刻情報を修正する。内部時刻情報は、電子時計１００で計時される時刻の情報であり、常時駆動されているＲＴＣ７２でカウントされており、水晶振動子７３によって生成される基準クロック信号によって更新される。したがって、ＧＰＳ受信部２６への電力供給が停止されていても、内部時刻情報を更新して指針の運針を継続することができるようになっている。
【００８０】
制御部７０は、時刻情報取得モードに設定されると、ＧＰＳ受信部２６の動作を制御し、ＧＰＳ時刻情報に基づいて内部時刻情報を修正して記憶部７１に記憶する。より具体的には、内部時刻情報は、取得したＧＰＳ時刻情報にＵＴＣオフセットを加算することで求められるＵＴＣ（協定世界時）に修正される。また、制御部７０は、位置情報取得モードに設定されると、ＧＰＳ受信部２６の動作を制御し、衛星時刻データ（ＧＰＳ時刻情報）及び時差データに基づいて、内部時刻情報を修正して記憶部７１に記憶する。
【００８１】
＜Ｃ：実施形態の利点＞
以上のように、本実施形態によれば、アンテナ体４０は、平面視して耐磁板Ｓ１〜Ｓ３と重ならない位置に配置される。すなわち、本実施形態は、アンテナ体４０が平面視して耐磁板Ｓ１〜Ｓ３と重なる位置に設けられる場合と比較して、アンテナ体４０と耐磁板Ｓ１〜Ｓ３との間の距離を長くすることができる。よって、本実施形態では、耐磁板Ｓ１〜Ｓ３がアンテナ体４０に対して及ぼす影響を小さく抑えることができ、アンテナ体４０の受信性能を良好に保つことができる。
【００８２】
また、本実施形態によれば、二次電池２７は、平面視してアンテナ体４０と重ならない位置に配置される。すなわち、本実施形態は、アンテナ体４０及び二次電池２７が平面視して重なる場合と比較して、アンテナ体４０及び二次電池２７の間の距離を長くすることができる。よって、本実施形態では、二次電池２７がアンテナ体４０の受信性能に対して及ぼす影響を小さく抑えることができるため、アンテナ体４０の受信性能を良好に保つことができる。
【００８３】
また、本実施形態によれば、アンテナ体４０の底面Ｔ３が文字板１１及びソーラーパネル８７よりも裏面側に位置するようにアンテナ体４０が配置される。すなわち、本実施形態は、アンテナ体４０が文字板１１及びソーラーパネル８７よりも表面側に位置するように配置される場合に比べ、アンテナ体４０の表裏方向の長さΔＹを長くすることができる。これにより、アンテナ体４０の断面積を大きくすることができ、アンテナ体４０の良好な受信性能を確保することが可能となる。
【００８４】
また、本実施形態によれば、文字板１１は、その一部が、平面視したときにアンテナ体４０（誘電体４０１）の下側傾斜面ＴＰ２の一部と重なるように設けられる。すなわち、本実施形態は、文字板１１及び下側傾斜面ＴＰ２が平面視して重ならないように文字板１１を設ける場合に比べ、平面視したときの文字板１１の面積を大きくすることができ、時刻表示部に表示される時刻等の視認性を向上させることが可能となる。
【００８５】
また、本実施形態によれば、裏蓋８５、ケース胴８１、及び、グランド板９０がグランドプレーンとして機能する。すなわち、本実施形態は、電子時計１００において、大きな体積および面積を有する裏蓋８５と外装ケース８０のケース胴８１がグランドプレーンの機能を有することによって、グランド電位が安定し、ひいてはアンテナの良好な受信性能を確保することが可能である。
【００８６】
また、本実施形態において、アンテナ体４０（誘電体４０１）は上側傾斜面ＴＰ１を備え、ダイヤルリング８３は上側傾斜面ＴＰ３を備える。上側傾斜面ＴＰ１及び上側傾斜面ＴＰ３は、アンテナ体４０の中心に向かう程（つまり、指針軸１２に向かうほど）、文字板１１に対する高さが小さくなるため、電子時計１００の利用者は、文字板１１等の時刻表示部を広い角度方向から隅々まで視認することが可能となる。
なお、本実施形態では、アンテナ体４０は、上側傾斜面ＴＰ１及び下側傾斜面ＴＰ２を備えているため、アンテナ体４０が上側傾斜面ＴＰ１及び下側傾斜面ＴＰ２を備えていない場合に比べて、アンテナ体４０の断面積は小さくなる。しかし、本実施形態では、アンテナ体４０は、ソーラーパネル８７よりも裏面側まで延在しているため、上側傾斜面ＴＰ１及び下側傾斜面ＴＰ２を設けることによるアンテナ体４０の断面積の減少分を、アンテナ体４０の表裏方向の長さΔＹを長くすることにより填補することができる。すなわち、本実施形態は、アンテナ体４０の受信性能を良好に保つことと、文字板１１等の時刻表示部の視認性を良好に保つこととを、両立することが可能となる。
【００８７】
また、本実施形態において、給電ピン４４は、指針軸１２から見て９時方向に設けられている。
上述のとおり、屋外においては、電子時計１００は利用者の腕に装着されるため、電子時計１００の中心（指針軸１２）から見て９時の方向が、天頂方向となる可能性が高い。従って、給電ピン４４を、指針軸１２から見て９時の方向に設けることにより、屋外において、アンテナ体４０の最大放射方向が、天頂方向に一致する可能性を高め、アンテナ体４０の受信性能を良好に保つことが可能となる。
更に、耐磁板Ｓ１〜Ｓ３は全体として、平面視したときに、指針軸１２から見て電子時計１００の３時の方向に偏った位置に設けられる。従って、給電ピン４４を９時の方向に設けることにより、給電ピン４４及び耐磁板Ｓ１〜Ｓ３の間の距離を長くすることができる。すなわち、本実施形態は、アンテナ体４０の受信性能に対して耐磁板Ｓ１〜Ｓ３が及ぼす影響を小さく抑え、アンテナ体４０の受信性能を良好に保つことが可能である。
【００８８】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００８９】
＜変形例１＞
上述した実施形態において、耐磁板Ｓ１及び耐磁板Ｓ２は、平面視してステップモーターＭ１〜Ｍ５の少なくとも一部と重なるが、ステップモーターＭ１〜Ｍ５の全部と重なるものであってもよい。また、上述した実施形態において、耐磁板Ｓ３は、平面視してステップモーターＭ１〜Ｍ５の少なくとも一部と重なるが、ステップモーターＭ１〜Ｍ５の全部と重なるものであってもよい。
さらに、耐磁板Ｓ１及び耐磁板Ｓ２は、平面視して駆動機構３０の全部と重なるものであってもよく、耐磁板Ｓ３は、平面視して駆動機構３０の全部と重なるものであってもよい。この場合、駆動機構３０の外部から発せられる磁界に起因するステップモーターＭの誤作動を、より確実に防止することが可能となる。
【００９０】
＜変形例２＞
上述した実施形態及び変形例において、平面視したときに耐磁板Ｓ３は、アンテナ体４０と重ならないが、平面視してアンテナ体４０と重なるものであってもよい。
図１３に、変形例２に係る電子時計１００ａを示す。電子時計１００ａは、耐磁板Ｓ３の代わりに、耐磁板Ｓ３ａを備える点を除き、電子時計１００と同様に構成されている。図１３に示す耐磁板Ｓ３ａは、図３に示す耐磁板Ｓ３に比べて、図において左右方向の幅が広く、平面視したときにアンテナ体４０点と重なる点において、耐磁板Ｓ３と相違する。
上述のとおり、耐磁板Ｓ１〜Ｓ３のうち、アンテナ体４０の受信性能に対して及ぼす影響の大きさは、耐磁板Ｓ１が最も大きい。従って、アンテナ体４０から離れた位置に設けられる耐磁板Ｓ３の代わりに、平面視してアンテナ体４０と重なる耐磁板Ｓ３ａを用いたとしても、耐磁板Ｓ３ａがアンテナ体４０の受信性能に対して及ぼす影響は小さなものに過ぎず、耐磁板Ｓ３ａとアンテナ体４０とが平面視して重なる場合であっても、アンテナ体４０は良好な受信性能を保つことができる。
【００９１】
＜変形例３＞
上述した実施形態及び変形例において、電子時計１００（または、電子時計１００ａ）は、３つの耐磁板Ｓ１、Ｓ２、及び、Ｓ３（またはＳ３ａ）を備えるが、３つの耐磁板のうち少なくとも１つの耐磁板を備えるものであればよい。
例えば、電子時計１００（または、電子時計１００ａ）は、３つの耐磁板のうち、耐磁板Ｓ３（または、耐磁板Ｓ３ａ）のみを備えるものであってもよい。耐磁板Ｓ３（Ｓ３ａ）は、ＧＰＳ受信部２６及び制御部７０を含む回路ブロックに起因するノイズからステップモーターＭ１〜Ｍ５を磁気的にシールドする。よって、ステップモーターＭの誤作動防止という観点からは、耐磁板Ｓ１及びＳ２に比べ、耐磁板Ｓ３（Ｓ３ａ）がより重要な役割を果たす。そのため、電子時計１００（１００ａ）が、耐磁板Ｓ１及び耐磁板Ｓ２を備えない場合であっても、耐磁板Ｓ３（Ｓ３ａ）を備えるものであれば、ステップモーターＭ１〜Ｍ５の誤作動を防止できる可能性が高い。また、電子時計１００（１００ａ）が耐磁板Ｓ１及び耐磁板Ｓ２を備えない場合、これらを備える場合に比べて、アンテナ体４０は良好な受信性能を確保することが可能となる。
【００９２】
＜変形例４＞
上述した実施形態及び変形例において、給電ピン４４は、線分Ｌｂｘと線分Ｌｐｘとのなす角度θが９０度以上で且つ１８０度以下となるような位置に配置されるが、給電ピン４４は、二次電池２７からの距離が所定の距離以上となるような位置に設けられるものであればよい。
例えば、角度θが８０度であっても、給電ピン４４及び二次電池２７の間の距離を所定の距離以上離れるのであれば、給電ピン４４は、角度θが８０度以上で且つ１８０度以下となるような位置に配置されるものであってもよい。
【００９３】
＜変形例５＞
上述した実施形態及び変形例において、電子時計１００（１００ａ）の操作部は、竜頭１６、巻真１６ａ、操作ボタン１７及び１８、並びに、ボタン軸１７ａ及び１８ａを備えるが、操作部は、これらのうちの一部のみを備えるものであってもよいし、これら以外の要素（例えば、操作ボタン）を含んで構成されるものであってもよい。
【００９４】
＜変形例６＞
上述した実施形態及び変形例において、アンテナ体４０は、図５（Ａ）乃至（Ｃ）に示すように、上面Ｔ１、外周面Ｔ２、底面Ｔ３、上側傾斜面ＴＰ１、及び、傾斜面ＴＰ２により囲まれた、５角形の断面形状を有する誘電体４０１を基材として形成されるが、アンテナ体の基材となる誘電体は、５角形以外の断面形状を有するものであってもよい。
例えば、電子時計１００は、図１４に示すアンテナ体４０ａを備えるものであってもよい。図１４（Ａ）は変形例６に係るアンテナ体４０ａの斜視図であり、図１４（Ｂ）はアンテナ体４０ａの平面図であり、図１４（Ｃ）は、アンテナ体４０ａを図１４（Ｂ）に示すＧ−ｇ線で切断した一部断面図である。
アンテナ体４０ａは、上面Ｔ１、外周面Ｔ２、底面Ｔ３、及び、内周面Ｔ４により囲まれた４角形の断面形状を有する誘電体４０１ａを基材とし、誘電体４０１ａの上面Ｔ１にアンテナパターン４０２ａ及び４０３ａが形成され、誘電体４０１ａの上面Ｔ１、内周面Ｔ４、及び、底面Ｔ３に給電部４０４ａが形成されている。アンテナパターン４０３ａは、給電部４０４ａを介して、給電ピン４４に電気的に接続されている。そのため、アンテナパターン４０３ａには、給電ピン４４を介して、所定の電位が供給されている。
また、上述した実施形態及び変形例において、アンテナパターン４０２（または４０２ａ）は、切欠部４０５（または切欠部４０５ａ）を有し、環状の一部を切り欠いた形状に形成されているが、切欠部４０５（または切欠部４０５ａ）を有さず、環状の形状に形成されるものであってもよい。
【００９５】
＜変形例７＞
上述した実施形態及び変形例において、アンテナ体４０（またはアンテナ体４０ａ）は、無給電のアンテナパターン４０２（または４０２ａ）と、所定の電位の給電を受けるアンテナパターン４０３（または４０３ａ）とを具備するが、本発明はこのような形態に限定されるものではなく、無給電のアンテナパターン４０２（または４０２ａ）を備えず、所定の電位の給電を受けるアンテナパターン４０３（または４０３ａ）のみを具備するものであってもよい。
例えば、電子時計１００は、図１５に示すアンテナ体４０ｂを備えるものであってもよい。図１５（Ａ）は変形例７に係るアンテナ体４０ｂの斜視図であり、図１５（Ｂ）はアンテナ体４０ｂの平面図である。アンテナ体４０ｂは、誘電体４０１の上側傾斜面ＴＰ１上に、給電部４０４ｂを介して給電ピン４４から所定の電位の給電を受けるアンテナパターン４０３ｂが形成されている。このアンテナ体４０ｂは、アンテナパターン４０３ｂが衛星信号に共振するようなアンテナ長に設定されており、無給電のアンテナパターンを備えない。なお、この図では、アンテナパターン４０３ｂは切欠部４０５ｂを有したＣ型の形状となるように形成されているが、切欠部４０５ｂを有さずに環状の形状（Ｏ型の形状）に形成されるものであってもよい。
また、例えば、電子時計１００は、図１６に示すアンテナ体４０ｃを備えるものであってもよい。図１６は変形例７に係るアンテナ体４０ｃの斜視図である。アンテナ体４０ｃは、４角形の断面形状を有する誘電体４０１ａの上面Ｔ１に、給電部４０４ｃを介して給電ピン４４から所定の電位の給電を受けるアンテナパターン４０３ｃが形成されている。このアンテナ体４０ｃは、アンテナパターン４０３ｃが衛星信号に共振するようなアンテナ長に設定されており、無給電のアンテナパターンを備えない。
また、上述した実施形態及び変形例において、アンテナ体４０（または、４０ａ、４０ｂ、４０ｃ）は、１か所の給電部４０４（または、４０４ａ、４０４ｂ、４０４ｃ）から給電されるが、２か所の給電部から平衡給電されるものであってもよい。例えば、電子時計１００は、図１７に示すアンテナ体４０ｄを備えるものであってもよい。図１７は変形例７に係るアンテナ体４０ｄの斜視図である。アンテナ体４０ｄは、誘電体４０１ａの上面に形成されたアンテナパターン４０３ｄと、アンテナパターン４０３ｄに電気的に接続される２つの給電部４０４ｄ及び４０５ｄとを具備する。アンテナ体４０ｄは、２つの給電部４０４ｄ及び４０５ｄに電気的に接続される２つの給電ピン４４ａ及び４４ｂを介して平衡給電される。この場合、電子時計１００は、平衡−不平衡変換素子であるバランを備えることが好ましい。バランは、給電ピン４４ａ及び４４ｂを介してアンテナ体４０ｂから出力される平衡信号を、不平衡信号に変換したうえで、ＧＰＳ受信部２６に出力する。
【００９６】
＜変形例８＞
上述した実施形態及び変形例において、アンテナパターン及び給電部は、メッキまたは銀ペースト印刷等により誘電体の面上に直接に形成されるものであるが、アンテナパターン及び給電部の一部または全部が、誘電体に埋設されるものであってもよい。
例えば、電子時計１００は、図１８に示すアンテナ体４０ｅを備えるものであってもよい。図１８は変形例８に係るアンテナ体４０ｅの一部断面図である。アンテナ体４０ｅは、アンテナパターン４０２ｅ及びアンテナパターン４０３ｅが、５角形の断面形状を有する誘電体４０１ｅに埋設され、給電部４０４ｅの一部が誘電体４０１に埋設されている。このような構造は、インサート成形で製造することができる。インサート成形によれば、メッキまたは銀ペースト印刷等によりアンテナパターンを形成する場合に比べて、アンテナ体を安価に製造することができる。
【００９７】
＜変形例９＞
上述した実施形態及び変形例１〜変形例７において、アンテナパターン及び給電部は、誘電体の面上に直接に形成されるものであるが、アンテナパターン及び給電部の一部または全部が、フレキシブルテープ上に貼付されるものであってもよい。
例えば、電子時計１００は、図１９に示すアンテナ体４０ｆを備えるものであってもよい。図１９は変形例９に係るアンテナ体４０ｆの一部断面図である。アンテナ体４０ｆは、フレキシブルテープ５００ｆ上にアンテナパターン４０２ｆ及びアンテナパターン４０３ｆが貼付されている。また、例えば、電子時計１００は、図２０に示すアンテナ体４０ｇを備えるものであってもよい。図２０は変形例９に係るアンテナ体４０ｇの一部断面図である。アンテナ体４０ｇは、フレキシブルテープ５００ｇ上にアンテナパターン４０２ｆ、アンテナパターン４０３ｆ、及び、給電部４０４ｇが貼付されている。
これらの構造は、例えば、あらかじめフレキシブルテープ上にアンテナパターン及び給電部を形成したうえで、フレキシブルテープを基材である誘電体に貼付することで、製造することができる。この製造方法によれば、メッキまたは銀ペースト印刷等によりアンテナパターンを形成する場合に比べて、アンテナ体を安価に製造することができる。
【００９８】
＜変形例１０＞
上述した実施形態及び変形例において、アンテナ体は、例えば図５（Ｂ）に示すように、平面視して円形の形状を有するが、円形以外の形状であってもよい。
例えば、電子時計１００は、図２１に示すアンテナ体４０ｈを備えるものであってもよい。図２１は変形例１０に係るアンテナ体４０ｈの平面図である。アンテナ体４０ｈは、平面視して四角形の中空形状を有する誘電体４０１ｈ上に、アンテナパターン４０２ｈ及びアンテナパターン４０３ｈが形成されている。
【００９９】
＜変形例１１＞
上述した実施形態及び変形例において、電子時計１００は、グランド板９０を備えるが、グランド板９０を備えないものであってもよい。この場合には、裏蓋８５及びケース胴８１が、グランド板として機能する。
【０１００】
＜変形例１２＞
上述した実施形態及び変形例において、時刻表示部は、文字板１１、指針軸１２、指針１３、小時計１４、インジケータ１５、及び、日付表示部１９を備えるが、本発明はこのような態様に限定されるものではなく、時刻表示部は、少なくとも、指針軸１２、指針１３を備えるものであればよい。
時刻表示部が、小時計１４、インジケータ１５、及び、日付表示部１９を備えない場合、駆動機構３０は、複数のステップモーターＭ１〜Ｍ５のうち、指針軸１２を駆動するステップモーターＭ１及びＭ２を備えるものであればよく、軸１４１、軸１５１、及び、日付表示部１９を駆動するためのステップモーターＭ３〜Ｍ５を備える必要はない。また、この場合、耐磁板Ｓ１〜Ｓ３は、ステップモーターＭ１及びＭ２の一部または全部を覆うような範囲に設けられればよい。
【０１０１】
＜変形例１３＞
上述した実施形態及び変形例において、時刻表示部は、文字板１１、指針軸１２、及び、指針１３（または、これらに加えて、小時計１４、インジケータ１５、及び、日付表示部１９）を備えるが、時刻表示部は、更に、液晶パネルを備えるものであってもよい。
【符号の説明】
【０１０２】
１００……アンテナ内蔵式電子時計、１１……文字板、１２……指針軸、１３（１３ａ，１３ｂ，１３ｃ）……指針、１６……竜頭、１６ａ……巻真、２６……ＧＰＳ受信部、２７……二次電池、２８……電池収納部、３０……駆動機構、３８……地板、４０……アンテナ体、４４……給電ピン、７０……制御部、８０……外装ケース胴８１……ケース、８２……ガラス縁、８３……ダイヤルリング、８４……カバーガラス、８５……裏蓋、８７……ソーラーパネル、９０……グランド板、Ｓ１〜Ｓ３……耐磁板。
【図１】
2014062846.tif 000003
【図２】
2014062846.tif 000004
【図３】
2014062846.tif 000005
【図４】
2014062846.tif 000006
【図５】
2014062846.tif 000007
【図６】
2014062846.tif 000008
【図７】
2014062846.tif 000009
【図８】
2014062846.tif 000010
【図９】
2014062846.tif 000011
【図１０】
2014062846.tif 000012
【図１１】
2014062846.tif 000013
【図１２】
2014062846.tif 000014
【図１３】
2014062846.tif 000015
【図１４】
2014062846.tif 000016
【図１５】
2014062846.tif 000017
【図１６】
2014062846.tif 000018
【図１７】
2014062846.tif 000019
【図１８】
2014062846.tif 000020
【図１９】
2014062846.tif 000021
【図２０】
2014062846.tif 000022
【図２１】
2014062846.tif 000023